(57)【要約】【課題】二次電池の価格を低額に抑えることができる管理装置、管理方法、及びプログラムを提供する。【解決手段】管理装置（１００）は、ユーザに提供された二次電池（１４）の金銭的価値の一部を証券化した証券の価格に関する情報を管理する管理部（１３０）と、前記証券の価格を算定する価格算定部（１４２）と、前記価格算定部により算定された前記証券の価格を提供する提供部（１５０）と、を備える。【選択図】図１
2020126305.tif 000002
【特許請求の範囲】
【請求項１】
ユーザに提供された二次電池の金銭的価値の一部を証券化した証券の価格に関する情報を管理する管理部と、
前記証券の価格を算定する価格算定部と、
前記価格算定部により算定された前記証券の価格を提供する提供部と、
を備える管理装置。
【請求項２】
前記管理部は、前記証券を購入した投資家に関する情報を管理し、
前記提供部は、前記証券の価格を少なくとも前記投資家に提供する、
請求項１に記載の管理装置。
【請求項３】
証券化された前記二次電池の金銭的価値の一部は、前記二次電池における再利用可能な資源の価格を含み、
前記価格算定部は、前記資源の価格に基づいて、前記証券の価格を算定する、
請求項１または２に記載の管理装置。
【請求項４】
前記二次電池と電力網を接続することで行われる電力授受ビジネスによる収益に基づいて、前記証券の配当を算定する配当算定部を更に備える、
請求項１から３のうちいずれか１項に記載の管理装置。
【請求項５】
前記二次電池は、車両に搭載され、前記車両が走行するための電力を供給する二次電池である、
請求項１から４のうちいずれか１項に記載の管理装置。
【請求項６】
コンピュータが、
ユーザに提供された二次電池の金銭的価値の一部を証券化した証券の価格に関する情報を管理し、
前記証券の価格を算定し、
算定された前記証券の価格を提供する、
管理方法。
【請求項７】
コンピュータに、
ユーザに提供された二次電池の金銭的価値の一部を証券化した証券の価格に関する情報を管理させ、
前記証券の価格を算定させ、
算定された前記証券の価格を提供させる、
プログラム。
【発明の詳細な説明】
【技術分野】
【０００１】
本発明は、管理装置、管理方法、及びプログラムに関する。
【背景技術】
【０００２】
近年、走行用の二次電池を搭載した電気自動車やハイブリッド車両の普及が進んでいる。電気自動車等に搭載される車載用の二次電池は、一般に高価であるため、二次電池の価格が反映されて電気自動車等も高価となる傾向がある。電気自動車等の販売を促進するため、従来、電気自動車の販売価格を少しでも低額にするため、所有権と使用権との２つの権利になる価格構成とする技術がある（例えば、特許文献１参照）。この技術は、所有権を有する者が使用権を設定したり使用権に使用制限を設けたりすることにより、使用権を設定される者（車両の購入者）が支払う金額を抑えて電気自動車や二次電池の価格を低額にするものである。
【先行技術文献】
【特許文献】
【０００３】
【特許文献１】特開２０１０−２４４４９２号公報
【発明の概要】
【発明が解決しようとする課題】
【０００４】
しかし、上記特許文献１に開示された技術は、所有権を有する者と使用権を設定された者との間における権利関係を調整することで価格の調整を行うものである。このため、第三者等の介入による価格調整を行うものではないので、二次電池や電気自動車の低額化に限界があった。
【０００５】
本発明は、このような事情を考慮してなされたものであり、二次電池の価格を低額に抑えることができる管理装置、管理方法、及びプログラムを提供することを目的の一つとする。
【課題を解決するための手段】
【０００６】
この発明に係る管理装置、管理方法、及びプログラムは、以下の構成を採用した。
（１）：この発明の一態様は、ユーザに提供された二次電池の金銭的価値の一部を証券化した証券の価格を管理する管理部と、前記証券の価格を算定する価格算定部と、前記価格算定部により算定された前記証券の価格を提供する提供部と、を備える管理装置である。
【０００７】
（２）：上記（１）の態様において、前記管理部は、前記証券を購入した投資家に関する情報を管理し、前記提供部は、前記証券の価格を少なくとも前記投資家に提供するものである。
【０００８】
（３）：上記（１）または（２）の態様において、証券化された前記二次電池の金銭的価値の一部は、前記二次電池における再利用可能な資源の価格を含み、前記価格算定部は、前記資源の価格に基づいて、前記証券の価格を算定するものである。
【０００９】
（４）：上記（１）から（３）のいずれかの態様において、前記二次電池と電力網を接続することで行われる電力授受ビジネスによる収益に基づいて、前記証券の配当を算定する配当算定部を更に備えるものである。
【００１０】
（５）：上記（１）から（４）のいずれかの態様において、前記二次電池は、車両に搭載され、前記車両が走行するための電力を供給する二次電池であるものである。
【００１１】
（６）：この発明の一態様は、コンピュータが、ユーザに提供された二次電池の金銭的価値の一部を証券化した証券の価格、及び前記証券を購入した投資家に関する情報を管理し、前記証券の価格を算定し、算定された前記証券の価格を少なくとも前記投資家に提供する、管理方法である。
【００１２】
（７）：この発明の一態様は、コンピュータに、ユーザに提供された二次電池の金銭的価値の一部を証券化した証券の価格、及び前記証券を購入した投資家に関する情報を管理させ、前記証券の価格を算定させ、算定された前記証券の価格を少なくとも前記投資家に提供させる、プログラムである。
【発明の効果】
【００１３】
（１）〜（７）によれば、二次電池の価格を低額に抑えることができる。
（２）（３）によれば、二次電池の価値に応じた証券の価格を算定できる。
（４）によれば、証券の価値を高めることができる。
（５）によれば、二次電池を搭載した車両の価格を低額に抑えることができる。
【図面の簡単な説明】
【００１４】
【図１】実施形態に係る管理装置１００の構成と使用環境の一例を示す図である。
【図２】投資家データ１７２の一例を示す図である。
【図３】証券データ１７４の一例を示す図である。
【図４】車載バッテリ１４における金銭的価値の変動の一例を示すグラフである。
【図５】車載バッテリ１４のＳＯＨ及びビジネス収益による配当の変動の一例を示すグラフである。
【図６】管理装置１００において実行される処理の流れの一例を示すフローチャートである。
【発明を実施するための形態】
【００１５】
以下、図面を参照し、本発明の管理装置、管理方法、及びプログラムの実施形態について説明する。以下の説明において、車両１０は、二次電池を搭載した電気自動車であるものとするが、車両１０は、外部から充電可能な車両であり、走行用の電力を供給する二次電池を搭載した車両であればよく、ハイブリッド自動車や燃料電池車両であってもよい。
【００１６】
[全体構成]
図１は、実施形態に係る管理装置１００の構成と使用環境の一例を示す図である。管理装置１００は、車両に搭載された車載バッテリ（以下の説明において「バッテリ」は「二次電池」と同義とする）１４の金銭的価値の一部を証券化した証券に関する情報（以下「証券情報」という）及び証券を購入する投資家に関する情報（以下「投資家情報」という）を管理し、証券情報を投資家５００等に提供する装置である。証券情報には、証券の価格、金銭的価値の一部が証券化された車載バッテリ１４が含む資源などの情報が含まれる。管理装置１００は、運営者によって使用される。運営者は、例えば、電気自動車のリース、販売、及び管理装置１００による電力、証券、投資家等の情報の管理を行う。
【００１７】
図１に示すように、管理装置１００は、複数の充電器２００（図１では２００、２００−１、２００−２、２００−３、…であるが区別しないときには充電器２００と表記する）、金融事業者３００、電力網に含まれる電力事業者４００、及び投資家５００と、ネットワークＮＷを介して通信する。ネットワークＮＷは、例えば、インターネット、ＷＡＮ（Wide Area Network）、ＬＡＮ（Local Area Network）、プロバイダ装置、無線基地局などを含む。
【００１８】
複数の車両１０（図１では１０、１０−１、１０−２、１０−３、…であるが区別しないときには車両１０と表記する）は、例えば、いずれも運営者がユーザにリースまたは販売してユーザに提供したものである。車両１０が販売される場合には、例えばローンが利用されるが、ローンが利用されることなく車両１０が販売されてもよい。複数の車両１０は、複数の充電器２００に対してそれぞれ充電ケーブル２２０を介して接続される。充電ケーブル２２０は、電力ケーブルに付設された信号ケーブルを含む。信号ケーブルは、車両１０と充電器２００の間における通信を仲介する。充電器２００は、ネットワークＮＷに接続可能であってもよい。
【００１９】
管理装置１００は、複数の充電器２００、金融事業者３００、及び電力事業者４００により送信された情報に基づいて電力を管理する。金融事業者３００及び電力事業者４００は複数であってもよい。管理装置１００は、複数の充電器２００、金融事業者３００、及び電力事業者４００により送信された情報に基づいて、電力授受ビジネスを実行する。電力授受ビジネスは、例えば、Ｖ２Ｇ（Vehicle to Grid）やＶ２Ｈ（Vehicle to Home）によるビジネスである。Ｖ２Ｇとは、車両１０の車載バッテリ１４を電力網に連系し、車両１０と電力系統との間で電力を融通することをいう。Ｖ２Ｈとは、車両１０の搭載された車載バッテリ１４の電力を、ユーザ宅などの宅内で使用することをいう。
【００２０】
運営者は、ユーザに車両をリースする際、またはユーザが車両を購入する際に、車載バッテリ１４の金銭的価値の一部を証券化した証券を発行し、証券を購入する投資家５００を募る。運営者は、証券を購入する投資家５００がある場合には、投資家５００に証券を販売し、証券の購入費を車両のリース価格または購入価格の一部に充当する。実施形態では、車両１０の車載バッテリ１４に含まれる資源の価格の一部をリース価格または購入価格の一部とする。管理装置１００は、金銭的価値の一部が証券化された車載バッテリ１４に関する情報や証券を購入した投資家５００に関する情報も合わせて管理する。以下の説明においては、車両１０、充電器２００、金融事業者３００、電力事業者４００、投資家５００を説明した後に管理装置１００について説明する。
【００２１】
[車両１０]
車両１０は、車体１２と、車載バッテリ１４と、充電口１６と、バッテリ制御装置１８と、を備える。車体１２は、例えば金属製であり、その内部に車載バッテリ１４及びバッテリ制御装置１８が設けられる。車載バッテリ１４は、例えば、リチウムイオン電池などの二次電池である。車載バッテリ１４は、電力を蓄電し、電力を放充電可能である。車載バッテリ１４から放電される電力は、例えば、車両１０に設けられた図示しない走行用モータが駆動して車両１０が走行するための電力として使用される。車載バッテリ１４から放電される電力は、走行用に使用されるほか、例えば、管理装置１００により実行される電力授受ビジネスに使用される。
【００２２】
充電口１６は、車体１２の外部において外側を向けて設けられている。充電口１６は、充電ケーブル２２０を介して充電器２００に接続される。充電ケーブル２２０は、第１プラグ２２２と第２プラグ２２４を備える。第１プラグ２２２は充電器２００に接続され、第２プラグ２２４は車体１２の充電口１６に接続される。
【００２３】
バッテリ制御装置１８は、車載バッテリ１４の電流値、電圧値、温度等に基づいて、車載バッテリ１４のＳＯＣ（State Of Charge；充電率）及びＳＯＨ（State Of Health；劣化状態）を算出する。バッテリ制御装置１８は、算出したＳＯＣ及びＳＯＨを含むバッテリ情報を、充電ケーブル２２０を通じて充電器２００に送信する。
【００２４】
[充電器２００]
充電器２００は、筐体２０２と、定置用バッテリ２０４と、制御装置２０６と、ケーブル接続口２０８と、を備える。充電器２００には、送電線２４０が接続される。筐体２０２には、定置用バッテリ２０４及び制御装置２０６が内蔵されている。充電器２００は、例えば、車両１０を所有するユーザ宅２６０のガレージ等の近傍に設置される。充電器２００が設置されることにより、深夜電力の貯蔵活用を行うことができるため、ユーザは、安価な電気で車両１０への充電が可能となる。
【００２５】
定置用バッテリ２０４は、例えば、リチウムイオン電池などの二次電池である。定置用バッテリ２０４から放電される電力は、例えば、ユーザが所有する車両１０に充電されたり、ユーザ宅２６０の家庭用として使用されたりする。定置用バッテリ２０４から放電される電力は、車両１０等に充電されるほか、電力事業者４００に提供される。
【００２６】
制御装置２０６は、車両１０、管理装置１００、及び電力事業者４００との間で通信可能である。制御装置２０６は、筐体２０２の外側に設けられた図示しない入力装置からの入力情報や車両１０、管理装置１００、及び電力事業者４００により提供される情報等に基づいて、定置用バッテリ２０４の放充電を制御する。
【００２７】
制御装置２０６は、車両１０に設けられたバッテリ制御装置１８から送信されるバッテリ情報に基づいて、車載バッテリ１４のＳＯＣ及びＳＯＨを取得する。ＳＯＨは、例えばＬｖ１〜Ｌｖ５で表され、劣化が激しいほどＬｖが大きくなる。例えば、ＳＯＨがＬｖ２である車載バッテリ１４は、ＳＯＨがＬｖ１である車載バッテリ１４よりも劣化が激しい。ＳＯＨがＬｖ５である車載バッテリ１４は、劣化が最も激しいバッテリである。車載バッテリ１４の充電容量は、ＳＯＨにおおよそ比例し、ＳＯＨによって示されるＬｖ（劣化度合）が高いほど充電容量が少なくなる。
【００２８】
制御装置２０６は、取得したＳＯＣ等に基づいて、車載バッテリ１４と定置用バッテリ２０４との間で放充電を行うための充電制御を行う。制御装置２０６は、例えば、車載バッテリ１４のＳＯＣが低く、要充電ＳＯＣとなっている場合には、定置用バッテリ２０４から車載バッテリ１４に電力を放電させて車載バッテリ１４を充電するように制御する。制御装置２０６は、例えば、車載バッテリ１４のＳＯＣが高く、余充電ＳＯＣとなっている場合には、車載バッテリ１４から定置用バッテリ２０４に電力を放電させて定置用バッテリ２０４を充電するように制御する。
【００２９】
制御装置２０６は、バッテリ制御装置１８により送信されたバッテリ情報にバッテリＩＤを追加して管理装置１００に送信する。制御装置２０６は、電力事業者４００により電力の供給を受けたい旨の要請に応じて、定置用バッテリ２０４に電力を放電させて、電力事業者４００に電力を供給する。
【００３０】
ケーブル接続口２０８は、筐体２０２の外側表面に開口して形成される。ケーブル接続口２０８には、充電ケーブル２２０の第１プラグ２２２が接続可能である。車載バッテリ１４から放電される電力は、充電ケーブル２２０を介してケーブル接続口２０８に供給され、充電器２００の定置用バッテリ２０４に充電される。定置用バッテリ２０４に充電された電力は、例えば、電力授受ビジネスに使用される。充電器２００の定置用バッテリ２０４から放電される電力は、充電ケーブル２２０を介して充電口１６に供給され、車載バッテリ１４に充電される。
【００３１】
充電器２００は、送電線２４０を介してユーザ宅２６０及び電力事業者４００と接続される。定置用バッテリ２０４から放電される電力は、送電線２４０を介してユーザ宅２６０に供給される。ユーザ宅２６０では、提供された電力を家庭用の電力として使用する。定置用バッテリ２０４から放電される電力は、送電線２４０を介して電力事業者４００に供給される。定置用バッテリ２０４は、電力事業者４００により提供される電力を充電する。定置用バッテリ２０４に充電された電力は、例えば、車載バッテリ１４に充電するためにも使用される。
【００３２】
[金融事業者３００]
金融事業者３００は、二次電池に使用される資源に関する情報（以下「資源情報」という）を記憶している。二次電池に使用される資源は、例えば、再利用可能な資源であり、具体的には、コバルト、ネオジウム、ジスプロジウムなどのレアメタルである。資源情報は、例えば、これらのレアメタルのそれぞれの価格（単位重量当たりの単価）である。
【００３３】
レアメタルなどの資源は、社会情勢等の影響により価格が上下動する。金融事業者３００は、これらの資源の価格を記憶している。金融事業者３００は、資源の金額に変動があったときに、記憶している資源情報を更新するとともに、更新した資源情報を管理装置１００に送信する。金融事業者３００は、他のタイミングで資源情報を管理装置１００に送信してもよい。例えば、金融事業者３００は、管理装置１００の要請に応じて資源情報を管理装置１００に送信してもよい。
【００３４】
[電力事業者４００]
電力事業者４００は、需要家に対して電力を供給するサービスを提供する。電力事業者４００は、例えば、送電線２４０を介して、充電器２００に電力を供給したり、充電器２００から電力の供給を受けたりする。電力事業者４００は、電力の供給を受けたい場合に、管理装置１００に電力要求情報を送信する。電力事業者４００は、電力要求情報を受信した管理装置１００が送信した供給可能情報を受信した場合に、複数の充電器２００から電力の供給を受ける。電力事業者４００は、要求した量の電力の供給を複数の充電器２００から受電した場合に、受電完了情報を管理装置１００に送信する。
【００３５】
[投資家５００]
投資家５００は、車載バッテリ１４の金銭的価値の一部が証券化された証券を購入する者である。投資家５００には証券を購入した者のほか、証券の購入を希望または検討している者等が含まれていてもよい。投資家５００は、例えば、情報端末を所有しており、所有する情報端末を用いて管理装置１００との間で情報の送受信を行う。投資家５００は、例えば証券の購入を希望する場合に、情報端末から購入希望情報を管理装置１００に送信する。購入希望情報には、投資家を識別する投資家ＩＤ及び購入を希望する証券の種類や金額などの情報が含まれる。投資家５００は、例えば、証券情報を知りたい場合に、情報端末から証券情報要求情報を管理装置１００に送信する。
【００３６】
投資家５００が所有する情報端末は、例えば、情報を表示する表示装置や情報を音声出力するスピーカを備えている。投資家５００が所有する情報端末は、管理装置１００により証券情報が送信された場合に、表示装置に表示したりスピーカから音声出力したりすることにより、証券情報に含まれる情報が投資家５００に提供される。
【００３７】
[管理装置１００]
管理装置１００は、通信部１１０と、取得部１２０と、管理部１３０と、算定部１４０と、提供部１５０と、記憶部１７０と、を備える。取得部１２０、管理部１３０、算定部１４０、及び提供部１５０は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置（非一過性記憶媒体）に格納されていてもよいし、ＤＶＤやＣＤ−ＲＯＭなどの着脱可能な記憶媒体（非一過性記憶媒体）に格納されており、記憶媒体がドライブ装置に装着されることでインストールされてもよい。記憶部１７０は、前述した記憶装置により実現される。
【００３８】
通信部１１０は、ＮＩＣなどの通信インターフェースを含む。通信部１１０は、ネットワークＮＷを介して複数の充電器２００、金融事業者３００、及び電力事業者４００との間で情報の送受信を行う。通信部１１０は、例えば、複数の充電器２００によりそれぞれ送信されるバッテリ情報を受信する。通信部１１０は、例えば、金融事業者３００により送信される資源情報を受信する。通信部１１０は、例えば、電力事業者４００により送信される電力要求情報や受電完了情報を受信する。通信部１１０は、例えば、投資家５００が所有する情報端末により送信される証券情報要求情報を受信する。通信部１１０は、受信した各種情報を取得部１２０に出力する。
【００３９】
取得部１２０は、通信部１１０により出力される各種の情報を取得する。取得部１２０は、取得した各種の情報のうち、バッテリ情報、電力要求情報、受電完了情報、資源情報、及び購入希望情報を管理部１３０に出力する。取得部１２０は、証券情報要求情報を提供部１５０に出力する。
【００４０】
管理部１３０は、車載バッテリ１４から定置用バッテリ２０４に放電された電力及び定置用バッテリ２０４に蓄電された電力を管理している。管理部１３０は、車載バッテリ１４から定置用バッテリ２０４に放電された電力及び定置用バッテリ２０４に蓄電された電力を利用して電力授受ビジネスを実行する。
【００４１】
管理部１３０は、例えば、取得部１２０により電力要求情報が出力された場合に、複数の車両１０に搭載された車載バッテリ１４に蓄電された電力を電力事業者４００に提供する電力供給情報を送信する。電力事業者４００は、電力供給情報を受信することにより、複数の車両１０に搭載された車載バッテリ１４から電力の供給を受ける。
【００４２】
電力の供給を受けて受電が完了した電力事業者４００は、受電完了情報を管理装置１００に送信する。管理装置１００に送信された受電完了情報は、通信部１１０及び取得部１２０を介して管理部１３０に出力される。管理部１３０は、取得部１２０により受電完了情報が出力された場合に、供給した電力に相当する対価の情報を生成する。こうして、管理装置１００は、電力事業者４００に電力授受ビジネスによる収益（以下「ビジネス収益」という）を得る。
【００４３】
管理部１３０は、配当時期に、ビジネス収益を算出する。ビジネス収益は、例えば、電力を販売することによって得た利益から電力を購入した費用及びその他の諸経費を控除した額である。配当時期は、例えば、１年または半年ごとに設定された年１回または年２回の時期である。
【００４４】
管理部１３０は、投資家データ１７２を生成または更新し、記憶部１７０に格納することにより、投資家情報を管理している。図２は、投資家データ１７２の一例を示す図である。図２に示すように、投資家データ１７２には、投資家ＩＤ及び証券保有割合の各項目が含まれる。
【００４５】
管理部１３０は、例えば、取得部１２０により購入希望情報が出力され、投資家５００が証券の金銭的価値に相当する金額を運営者に支払ったことが確認された場合に、投資家データ１７２を更新する。投資家データ１７２を更新するにあたり、管理部１３０は、購入希望情報に含まれる投資家ＩＤを確認する。
【００４６】
管理部１３０は、投資家データ１７２における購入希望情報に含まれる投資家ＩＤの各証券保有割合を購入希望情報に応じて更新する。管理部１３０は、購入希望情報に含まれる投資家ＩＤが投資家データ１７２にない場合には、投資家データ１７２に新たに投資家ＩＤを追加する。
【００４７】
管理部１３０は、証券データ１７４を生成または更新し、記憶部１７０に格納することにより、証券情報を管理している。図３は、証券データ１７４の一例を示す図である。図３に示すように、証券データ１７４には、証券番号、バッテリＩＤ、証券購入価格、資源１、資源２、資源３、ＳＯＨ、証券価格、キャピタルゲイン（ＣＧ）、ビジネス収益、インカムゲイン（ＩＧ）の各項目が含まれる。
【００４８】
証券番号は、各証券を識別するために付された番号である。バッテリＩＤは、金銭的価値の一部が証券化された車載バッテリ１４を識別するためのＩＤであり、図１に示す車両１０，１０−１，１０−２，１０−３…のそれぞれに搭載された車載バッテリ１４のそれぞれに付された独自のＩＤである。証券購入価格は、販売を開始したときの証券の価格である。実施形態では、証券購入価格は、車載バッテリ１４に含まれる資源の証券を購入したときにおける総額（総資源価格）からリサイクル費を減じた額である。
【００４９】
資源１〜資源３は、各車載バッテリ１４に含まれる資源の重量を示す項目である。車載バッテリ１４に含まれる資源の種類及び重量は、車載バッテリ１４の種類によって異なる。このため、証券データ１７４には、資源１〜資源３の重量の項目が含まれる。実施形態では、資源の種類は３種類であるが、さらに多くの種類の資源が含まれていてもよい。
【００５０】
証券価格は、金融事業者３００により資源情報が送信された時点の証券の価格である。実施形態では、証券価格は、バッテリに含まれる資源の金融事業者３００により資源情報が送信された時点における総資源価格からリサイクル費を減じた額である。キャピタルゲインは、証券購入価格及び証券価格に基づいて算定される。ビジネス収益は、管理部１３０が算出した収益である。インカムゲインは、ビジネス収益に基づいて算出される。
【００５１】
管理部１３０は、例えば、取得部１２０によりバッテリ情報が出力された場合に、証券データ１７４に含まれるＳＯＨを、バッテリ情報に含まれるＳＯＨに更新し、記憶部１７０に格納する。管理部１３０は、例えば、取得部１２０により資源情報が出力された場合に、証券データ１７４に含まれる資源情報の数値を取得部１２０により出力された資源情報の数値に更新する。
【００５２】
管理部１３０は、取得部１２０により出力された資源情報及び算出したビジネス収益の情報を算定部１４０に出力する。算定部１４０は、価格算定部１４２と、配当算定部１４４と、を備える。価格算定部１４２は、取得部１２０により出力された資源情報及び証券データ１７４に含まれる資源１〜資源３に基づいて証券の総資源価格を算定する。価格算定部１４２は、例えば、下記（１）式によって総資源価格を算定する。
【００５３】
総資源価格＝Σ（資源ｎの価格）×（資源ｎの重量）  ・・・（１）
上記（１）式において、ｎは自然数である。資源ｎの価格は、金融事業者３００により送信される資源情報に基づいて定められる。資源ｎの重量は、資源１〜資源３の各項目に記憶された重量である。
【００５４】
価格算定部１４２は、算定した総資源価格からリサイクル費を減じて証券価格を算定する。価格算定部１４２は、証券データ１７４に含まれる証券購入価格と、算定した証券価格とに基づいて証券のキャピタルゲインを算出する。価格算定部１４２は、例えば、下記（２）式によってキャピタルゲインを算定する。
【００５５】
キャピタルゲイン＝証券価格−証券購入価格  ・・・（２）
管理部１３０は、価格算定部１４２が算定した各証券の証券価格及びキャピタルゲインに応じて、証券データ１７４における各証券の証券価格及びキャピタルゲインの項目を更新する。資源情報は、時々刻々変化するので、管理部１３０は、証券データ１７４における各証券の証券価格及びキャピタルゲインの項目を時々刻々更新する。
【００５６】
配当算定部１４４は、例えば、管理部１３０が算出したビジネス収益に基づいて配当原資を求め、例えば下記（３）式によって証券の配当となるインカムゲインを算定する。配当原資は、例えば、ビジネス収益の数％である。
インカムゲイン＝（配当原資／証券数）×寄与率  ・・・（３）
ここで、証券数は、証券番号が付された証券の数である。寄与率は、金銭的価値の一部が証券化された各車載バッテリ１４が電力授受ビジネスに寄与した割合であり、全証券の寄与率を合算すると１となる値である。寄与率は、例えば、金銭的価値の一部が証券化された車載バッテリ１４のＳＯＨやＳＯＣ、車載バッテリ１４により供給された電力の量に基づいて決定される。
【００５７】
管理部１３０は、算出したビジネス収益に応じて、証券データ１７４における各証券のビジネス収益の項目を更新する。管理部１３０は、ビジネス収益に基づいて算定したインカムゲインに応じて、証券データ１７４における各証券のビジネス収益及びインカムゲインの項目を更新する。ビジネス収益は、例えば年１回または２回算出されるので、管理部１３０は、証券データ１７４における各証券のビジネス収益及びインカムゲインの項目を年１回または２回更新する。
【００５８】
図４は、車載バッテリ１４における金銭的価値の変動の一例を示すグラフである。車載バッテリの金銭的価値には、例えば、部品費と資源が含まれる。このうち、部品の金銭的価値は一定であるが、資源の金銭的価値は変動する。したがって、車載バッテリ１４の金銭的価値は、車両１０への搭載期間の経過に応じて上下動する。
【００５９】
図４に示す例では、車載バッテリ１４の金銭的価値は、第１時期Ｐ１１から第２時期Ｐ１２までの間において、資源の経済的価値が上下動に伴って上下動を繰り返しながら、徐々に増加する。さらに、第２時期Ｐ１２から第３時期Ｐ１３までの間でも、車載バッテリ１４の金銭的価値は、資源の経済的価値が上下動に伴って上下動を繰り返しながら、徐々に増加する。実施形態では、車載バッテリ１４に含まれる資源の金銭的価値の一部を証券化している。このため、資源の経済的価値の上昇による増加分が、証券のキャピタルゲインとなる。図４に示す例では、長期的に見て資源の経済的価値が上昇しているが、資源の経済的価値は減少することもある。
【００６０】
実施形態では、車載バッテリ１４の金銭的価値は、証券の購入費、リサイクル費、及びリース費（または車両の購入費）によって賄われる。具体的に、車載バッテリ１４に含まれる資源の金銭的価値の一部は証券となり、資源の残りの部分はリサイクル費によって賄われる。車載バッテリ１４における部品の金銭的価値は、車両１０のリース費または購入費によって賄われる。
【００６１】
図５は、車載バッテリ１４のＳＯＨ及びビジネス収益による配当の変動の一例を示すグラフである。車載バッテリ１４のＳＯＨに直接的な金銭的価値の変動はないが、ＳＯＨの減少に伴い、配当に対する寄与率が低下するので、ＳＯＨが減少に伴い、車載バッテリ１４の金銭的価値は間接的に低下する。車載バッテリ１４のＳＯＨは、時間の経過に伴い徐々に低下するので、ＳＯＨによる金銭的価値も、時間の経過に伴い徐々に低下する。
【００６２】
証券の配当時期になると、投資家５００に対して配当が還元される。投資家５００に還元される配当は、そのまま金銭的価値となる。第１配当時期Ｐ２１に最初の配当が還元されると、次の配当時期である第２配当時期Ｐ２２が還元される。図５に示す例では、第２配当時期Ｐ２２に還元される配当は、第１配当時期Ｐ２１に還元される配当よりも多い。これは、第１配当時期Ｐ２１から第２配当時期Ｐ２２までの間におけるビジネス収益が電力授受ビジネスの開始時から第１配当時期までのビジネス収益よりも大きいことに起因する。
【００６３】
同様に、第３配当時期Ｐ２３に還元される配当は、第２配当時期Ｐ２２に還元される配当よりも多い。これは、第２配当時期Ｐ２２から第３配当時期Ｐ２３までの間におけるビジネス収益が、第１配当時期Ｐ２１から第２配当時期Ｐ２２までの間におけるビジネス収益より大きいことに起因する。第４配当時期Ｐ２４に還元される配当は、第３配当時期Ｐ２３に還元される配当より少ない。これは、第３配当時期Ｐ２３から第４配当時期Ｐ２４までの間におけるビジネス収益が、第２配当時期Ｐ２２から第３配当時期Ｐ２３までの間におけるビジネス収益より小さいことや、ＳＯＣの低下に伴う寄与率の減少等に起因する。このように、投資家５００に還元される配当は配当時期によって上下動する。投資家５００に還元される配当は、証券のインカムゲインとなる。
【００６４】
提供部１５０は、取得部１２０により証券情報要求情報が出力された場合に、記憶部１７０から投資家データ１７２及び証券データ１７４を読み出す。提供部１５０は、記憶部１７０から読み出した証券データ１７４に基づいて証券情報を生成し、生成した証券情報を通信部１１０に出力する。提供部１５０は、例えば、証券情報として、車載バッテリ１４におけるＳＯＨ、証券価格、キャピタルゲイン、ビジネス収益、インカムゲインなどを含む情報を車載バッテリ１４ごとに生成する。
【００６５】
通信部１１０は、証券情報要求情報を送信した投資家５００に対して、提供部１５０により出力された証券情報を送信する。こうして、提供部１５０は、記憶部１７０から読み出した証券データ１７４に基づく証券情報を、通信部１１０を介して、証券情報要求情報を送信した投資家５００に提供する。
【００６６】
次に、管理装置１００における処理について説明する。図６は、管理装置１００において実行される処理の流れの一例を示すフローチャートである。管理部１３０は、充電器２００により送信され、通信部１１０を介して出力されるバッテリ情報を取得部１２０が取得したか否かを判定する（ステップＳ１１０）。
【００６７】
取得部１２０がバッテリ情報を取得していないと判定した場合、管理部１３０は、ステップＳ１３０の処理に進む。取得部１２０がバッテリ情報を取得したと判定した場合、管理部１３０は、証券データ１７４におけるＳＯＨの値を、バッテリ情報に含まれるＳＯＨの値に更新し、更新した証券データ１７４を記憶部１７０に格納する（ステップＳ１２０）。
【００６８】
続いて、管理部１３０は、金融事業者３００により送信され、通信部１１０を介して出力される資源情報を取得部１２０が取得したか否かを判定する（ステップＳ１３０）。資源情報を取得部１２０が取得していない場合、管理部１３０は、ステップＳ１７０の処理に進む。資源情報を取得部１２０が取得した場合、管理部１３０は、資源情報及び証券情報に基づいて総資源価格を価格算定部１４２に算出させる（ステップＳ１４０）。
【００６９】
続いて、管理部１３０は、算出した総資源価格に基づいて価格算定部１４２に証券価格を算出させ、証券価格及び証券購入価格に基づいてキャピタルゲインを価格算定部１４２に算定させる（ステップＳ１５０）。続いて、管理部１３０は、証券データ１７４における総資源価格、証券価格、キャピタルゲインを、価格算定部１４２により算定された数値に更新し、更新した証券データ１７４を記憶部１７０に格納する（ステップＳ１６０）。
【００７０】
続いて、管理部１３０は、配当時期となったか否かを判定する（ステップＳ１７０）。配当時期となっていないと判定した場合、管理部１３０は、ステップＳ２１０の処理に進む。配当時期となったと判定した場合、管理部１３０は、ビジネス収益を算出する（ステップＳ１８０）。
【００７１】
続いて、管理部１３０は、ビジネス収益の情報を配当算定部１４４に出力し、インカムゲインを配当算定部１４４に算定させる（ステップＳ１９０）。続いて、管理部１３０は、証券データ１７４におけるビジネス収益及びインカムゲインを、算出した数値及び配当算定部１４４により算定された数値に更新し、更新した証券データ１７４を記憶部１７０に格納する（ステップＳ２００）。
【００７２】
続いて、提供部１５０は、投資家５００が所有する情報端末により送信され、通信部１１０を介して出力される証券情報要求情報を取得部１２０が取得したか否かを判定する（ステップＳ２１０）。証券情報要求情報を取得部１２０が取得していない場合、管理装置１００は図６に示す処理を終了する。証券情報要求情報を取得部１２０が取得した場合、提供部１５０は、記憶部１７０に格納された証券データ１７４を読み出し、証券情報を生成して投資家５００が所有する情報端末に送信する。こうして、提供部１５０は、証券情報を投資家５００に提供する（ステップＳ２２０）。その後、管理装置１００は図６に示す処理を終了する。
【００７３】
以上説明した実施形態によれば、管理装置１００は、車載バッテリ１４の一部を証券化した証券を投資家５００に販売し、車両１０をリースまたは販売する際の価格の一部としている。このため、車両１０のリースを受け、または車両１０を購入するユーザは、車両１０の全体にかかる費用の全てを負担することなく、費用の一部は投資家５００による証券の購入費で補われる。したがって、車載バッテリ１４の価格、さらには車両１０の価格を低額に抑えることができる。
【００７４】
また、投資家５００が購入する証券は、車載バッテリ１４の金銭的価値の一部である。車載バッテリ１４には、レアメタルなどの資源が含まれており、これらの資源の価格は、社会情勢等によって上下動する。したがって、投資家５００が購入した証券の価格も上下動する。さらに、証券には、ビジネス収益に応じた配当が投資家５００に還元される。このため、投資家５００は、証券の価格の上昇に伴うキャピタルゲイン及び配当によるインカムゲインを得ることができるので、管理装置１００は、証券を購入する動機を投資家５００に与えることができる。
【００７５】
また、管理装置１００は、証券に関する証券情報、例えば一部が証券化された車載バッテリ１４におけるＳＯＨ、証券価格、キャピタルゲイン、ビジネス収益、インカムゲインなどの情報を提供する。このため、購入する証券を選択する際の情報を投資家５００に提供することができるので、投資家５００は、大きな利益を得られる可能性の高い証券を購入するための情報を得ることができる。
【００７６】
また、運営者は、車載バッテリ１４を用いた電力授受ビジネスによる収益を得ることができる。さらに、運営者は、車両１０を低額でリースまたは販売できるので、車両１０のリースまたは販売台数を多くしやすくなり、その分の収益を得やすくなる。また、例えば証券を購入する投資家５００がない場合でも、運営者自身が投資家５００の立場となることになる。したがって、証券を購入する投資家５００がない場合でも、運営者に大きな不利益を被らせないようにすることができる。
【００７７】
なお、上記の実施形態では、運営者は、例えば、電気自動車のリース、販売、及び管理装置１００による電力、証券、投資家等の情報の管理を行うが、これらはそれぞれ別の者が行ってもよい。また、上記の実施形態では、充電器２００から車載バッテリ１４のバッテリ情報を管理装置１００に送信するが、車載バッテリ１４のバッテリ情報を、バッテリＩＤを付して、車両１０から管理装置１００に送信してもよい。また、上記の実施形態では、車載バッテリ１４に含まれる資源の金銭的価値の一部を証券化しているが、車載バッテリ１４に含まれる資源以外の部分を含んだ金銭的価値の一部を証券化してもよい。
【００７８】
また、上記の実施形態では、提供部１５０は、証券情報要求情報を送信した投資家５００に証券情報を提供するが、提供部１５０は、他の者に証券情報を提供してもよい。例えば、提供部１５０は、証券情報要求情報の有無によらず、証券を購入した投資家５００に定期的または不定期に証券情報を提供してもよい。また、提供部１５０は、第三者や不特定多数の者に証券情報を提供してもよい。また、運営者は、証券の一部を所有し、投資家５００と同等の地位となるようにしてもよい。この場合、キャピタルゲインやインカムゲイン等は、運営者と投資家５００との間で分配される。また、証券は、運営者から投資家５００に販売されるが、投資家５００から運営者に販売されてもよいし、投資家５００同士の間で販売されてもよい。投資家５００同士の間で証券が売買される場合には、運営者は、販売の仲介を行うようにしてもよい。
【００７９】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００８０】
１０…車両
１２…車体
１４…車載バッテリ
１６…充電口
１８…バッテリ制御装置
１００…管理装置
１１０…通信部
１２０…取得部
１３０…管理部
１４０…算定部
１４２…価格算定部
１４４…配当算定部
１５０…提供部
１７０…記憶部
２００…充電器
２０２…筐体
２０４…定置用バッテリ
２０６…制御装置
２０８…ケーブル接続口
２２０…充電ケーブル
２４０…送電線
２６０…ユーザ宅
３００…金融事業者
４００…電力事業者
【図１】
2020126305.tif 000003
【図２】
2020126305.tif 000004
【図３】
2020126305.tif 000005
【図４】
2020126305.tif 000006
【図５】
2020126305.tif 000007
【図６】
2020126305.tif 000008